(57)【要約】複数表示素子を連結して一つの大画面を有するマルチ情報表示装置において、とくに広げる場合には隣接された表示素子が互いに正確に一致されてその接境部の非表示領域を最小化し、折り畳む場合には外部に露出される表示素子の側面をカバーして保護できる携帯用情報表示装置用折り畳み式ケースを提供する。本発明の携帯用情報表示装置用折り畳み式ケースは、少なくとも二つの平板表示素子をおのおの割って受納し、広げる場合、平板表示素子の一辺が互いに接するように構成されたパネルハウジングと、前記パネルハウジングの折り畳み動作を支持する折り畳み支持部材と、そして前記パネルハウジングを折り畳む場合、外部に露出される平板表示素子の側面を覆って保護するカバー手段を含む。
2004507779.tif 000002
【特許請求の範囲】
【請求項１】
少なくとも二つの平板表示素子がおのおの割られて受納され、広げた場合、平板表示素子の側壁が互いに接するように構成されたパネルハウジング；
前記パネルハウジングの折り畳み動作を支持する折り畳み支持部材；および
前記パネルハウジングを折り畳む場合、外部に露出される平板表示素子の隣接する側壁を覆って保護するカバー手段とからなる携帯用情報表示装置用折り畳み式ケース。
【請求項２】
前記パネルハウジングが、前記側壁を切断することによって設けられた開口を含み、該開口はパネルハウジングを広げる場合、平板表示素子の隣接する側壁が互いに接するように形成されたことを特徴とする請求項１記載の携帯用情報表示装置用折り畳み式ケース。
【請求項３】
前記カバー手段がパネルハウジングの折り畳み部分に設けられることを特徴とする請求項１記載の携帯用情報表示装置用折り畳み式ケース。
【請求項４】
前記カバー手段がパネルハウジングを広げる場合、平板表示素子の隣接する側壁が互いに接することを妨害しない位置に開放されることを特徴とする請求項１記載の携帯用情報表示装置用折り畳み式ケース。
【請求項５】
前記パネルハウジングがパネルハウジングを折り畳む場合にカバー手段が受納される空間が設けられ、該空間はパネルハウジングの内部または外部に形成されたことを特徴とする請求項１記載の携帯用情報表示装置用折り畳み式ケース。
【請求項６】
前記カバー手段を固定するための固定手段をさらに備え、該固定手段が弾性部材であることを特徴とする請求項１記載の携帯用情報表示装置用折り畳み式ケース。
【請求項７】
前記折り畳み支持部材がパネルハウジングの回転中心に設けられたヒンジを含むことを特徴とする請求項１記載の携帯用情報表示装置用折り畳み式ケース。
【請求項８】
前記折り畳み支持部材がパネルハウジングに一端が結合された二つの回転バーと、該２つの回転バーの他端がそれぞれ固定された回転軸とを含んでなることを特徴とする請求項１記載の携帯用情報表示装置用折り畳み式ケース。
【請求項９】
前記カバー手段の内面に緩衝部材が設けられることを特徴とする請求項１記載の携帯用情報表示装置用折り畳み式ケース。
【請求項１０】
前記カバー手段が平板表示素子の側面を覆うセンターカバーと、該センターカバーの両側から延びる屈曲し得るサイドカバーとからなり、該センターカバーパネルハウジングを広げる場合、パネルハウジングに形成されたシェルター部の内側に受納されることを特徴とする請求項１記載の携帯用情報表示装置用折り畳み式ケース。
【請求項１１】
前記カバー手段がセンターカバーとサイドカバーのあいだに可撓性を有する連結部が設けられてなることを特徴とする請求項１０記載の携帯用情報表示装置用折り畳み式ケース。
【請求項１２】
前記カバー手段が前記センターカバーの上部および下部に設けられる覆いをさらに備えてなることを特徴とする請求項１０記載の携帯用情報表示装置用折り畳み式ケース。
【請求項１３】
前記サイドカバーから突設され、かつ前記パネルハウジングに結合されるヒンジ軸をさらに備えていることを特徴とする請求項１０記載の携帯用情報表示装置用折り畳み式ケース。
【請求項１４】
パネルハウジングが折り畳まれたり広げられたりするとき、カバー手段をシェルター部側に折り畳ませるカバー折り畳み手段をさらに備えていることを特徴とする請求項１０記載の携帯用情報表示装置用折り畳み式ケース。
【請求項１５】
前記カバー折り畳み手段が前記シェルター部の内壁とサイドカバーとのあいだに連結された弾性部材を備えてなることを特徴とする請求項１４記載の携帯用情報表示装置用折り畳み式ケース。
【請求項１６】
前記カバー折り畳み手段が前記サイドカバーの外向回転を防止するストッパーを備えてなることを特徴とする請求項１４記載の携帯用情報表示装置用折り畳み式ケース。
【請求項１７】
前記カバー折り畳み手段が前記サイドカバーに形成されたガイド突起と、該ガイド突起をシェルター部側に内向回転されるように案内するガイド溝を備えてなることを特徴とする請求項１４記載の携帯用情報表示装置用折り畳み式ケース。
【請求項１８】
前記サイドカバーが複数の単位カバーを含み、該複数の単位カバーのあいだに連結部を介在して曲がるように形成されることを特徴とする請求項１０記載の携帯用情報表示装置用折り畳み式ケース。
【請求項１９】
前記サイドカバーが可撓性を有するシートから形成されてなることを特徴とする請求項１０記載の携帯用情報表示装置用折り畳み式ケース。
【請求項２０】
前記カバー手段が可撓性を有し、前記パネルハウジングのシェルター部に受納され、パネルハウジングが広げられる場合、前記カバー手段が外部に露出されないように前記シェルター部が前記カバー手段を受納することを特徴とする請求項１記載の携帯用情報表示装置用折り畳み式ケース。
【請求項２１】
前記カバー手段が平板表示素子の側壁を覆うセンターカバーと、該センターカバーの両側に連結部を介在して連結されたサイドカバーと、該サイドカバーの端部に形成された係止段とを備えてなることを特徴とする請求項２０記載の携帯用情報表示装置用折り畳み式ケース。
【請求項２２】
前記シェルター部の内壁と係止段とのあいだに連結された弾性部材をさらに備えてなることを特徴とする請求項２１記載の携帯用情報表示装置用折り畳み式ケース。
【請求項２３】
前記カバー手段またはサイドカバーが複数の単位カバーから形成され、該複数の単位カバーのあいだに連結部を介在して曲がるように設けられてなることを特徴とする請求項２１記載の携帯用情報表示装置用折り畳み式ケース。
【請求項２４】
前記カバー手段またはサイドカバーが可撓性を有するシートから形成されてなることを特徴とする請求項２１記載の携帯用情報表示装置用折り畳み式ケース。
【請求項２５】
前記カバー手段が前記センターカバーの上部および下部に設けられたマウント部と、該マウント部の内面に形成された長溝とさらに備え、前記折り畳み支持部材に、該長溝と結合された軸突起が設けられてなることを特徴とする請求項２１記載の携帯用情報表示装置用折り畳み式ケース。
【請求項２６】
前記マウント部を取り囲むために、前記パネルハウジングに形成された締め切り部をさらに備えてなることを特徴とする請求項２５記載の携帯用情報表示装置用折り畳み式ケース。
【請求項２７】
前記カバー手段が連結部を介在して曲がるように接続された第１および第２の単位カバーを備え、該第１の単位カバーがパネルハウジングに固定され、該第２の単位カバーがシェルター内部に受納されてなることを特徴とする請求項１記載の携帯用情報表示装置用折り畳み式ケース。
【請求項２８】
前記カバー手段が前記第１の単位カバーに設けられたヒンジ軸をさらに備え、該ヒンジ軸が前記パネルハウジングに形成された溝に挿入され、前記パネルハウジングには前記ヒンジ軸の脱着および離脱を防止するための係止段を設けられてなることを特徴とする請求項２７記載の携帯用情報表示装置用折り畳み式ケース。
【請求項２９】
前記カバー手段の両側端部が回転できるようにパネルハウジングに結合され、パネルハウジングが折り畳まれる場合、側壁に形成された開口を覆うことを特徴とする請求項２７記載の携帯用情報表示装置用折り畳み式ケース。
【請求項３０】
前記カバー手段が可撓性を有するシートから形成され、前記カバー手段の一端が一方のパネルハウジングの内部に固定され、他端が弾性部材を介在させて他方のパネルハウジングの内部に設けられることを特徴とする請求項１記載の携帯用情報表示装置用折り畳み式ケース。
【請求項３１】
前記カバー手段がパネルハウジングの内面に接着により取り付けられることを特徴とする請求項３０記載の携帯用情報表示装置用折り畳み式ケース。
【請求項３２】
弾性部材に連結されたカバー手段の一端がシェルター部の内側に受納設置されることを特徴とする請求項３０記載の携帯用情報表示装置用折り畳み式ケース。
【請求項３３】
前記パネルハウジングを折り畳む場合には伸び、広げる場合には縮めるように前記カバー手段が構成されることを特徴とする請求項１記載の携帯用情報表示装置用折り畳み式ケース。
【請求項３４】
前記カバー手段がベローズ状に形成されることを特徴とする請求項３３記載の携帯用情報表示装置用折り畳み式ケース。
【請求項３５】
前記カバー手段の上部および下部を覆うための保護覆いをさらに備えてなることを特徴とする請求項３４記載の携帯用情報表示装置用折り畳み式ケース。
【請求項３６】
前記保護覆いは折り畳み支持部材に結合された締結部材と、該締結部材に結合されてベローズ部に連結された支柱と、該支柱を覆うための覆いとからなることを特徴とする請求項３５記載の携帯用情報表示装置用折り畳み式ケース。
【請求項３７】
前記カバー手段が布および合成樹脂からなる群から選択された材料から形成されることを特徴とする請求項３３記載の携帯用情報表示装置用折り畳み式ケース。
【請求項３８】
前記カバー手段がパネルハウジングの側壁の内面に固定された締結部と、ベローズ部とからなることを特徴とする請求項３３記載の携帯用情報表示装置用折り畳み式ケース。
【請求項３９】
前記カバー手段が互いにスライディング可能に連結された複数の単位カバーから形成されてなることを特徴とする請求項１記載の携帯用情報表示装置用折り畳み式ケース。
【請求項４０】
前記パネルハウジングを広げたとき、カバー手段を受納するためのシェルター部をさらに備えてなることを特徴とする請求項３９記載の携帯用情報表示装置用折り畳み式ケース。
【請求項４１】
前記シェルター部がパネルハウジングの側壁に形成されることを特徴とする請求項４０記載の携帯用情報表示装置用折り畳み式ケース。
【請求項４２】
前記カバー手段がスライディング溝をそれぞれ有する第１および第３カバーと、該スライディング溝にスライディング可能に挿入されるスライディング突起を有する第２カバーと、前記第１および第３カバーから延び回転できるようにパネルハウジングに結合される折曲連結部とからなることを特徴とする請求項３９記載の携帯用情報表示装置用折り畳み式ケース。
【請求項４３】
前記第２カバーの内面と外面に複数のスライディング突起がおのおの設けられることを特徴とする請求項４２記載の携帯用情報表示装置用折り畳み式ケース。
【請求項４４】
前記第２カバーの内面に複数のスライディング突起が設けられることを特徴とする請求項４２記載の携帯用情報表示装置用折り畳み式ケース。
【請求項４５】
前記カバー手段が前記第２カバーの上部および下部に設けられたマウント部と、該マウント部の内面に形成されて折り畳み支持部材の軸突起に結合される長溝とを備えてなることを特徴とする請求項４２記載の携帯用情報表示装置用折り畳み式ケース。
【請求項４６】
前記パネルハウジングを広げたとき、カバー手段をパネルハウジングの折り畳み部の後側に案内するスライディング案内手段をさらに備えることを特徴とする請求項１記載の携帯用情報表示装置用折り畳み式ケース。
【請求項４７】
前記カバー手段が、前記パネルハウジングの側壁の開口および平板表示素子の側壁を覆うためのカバー体と、該カバー体の上部および下部に設けられたマウント部を備えてなることを特徴とする請求項４６記載の携帯用情報表示装置用折り畳み式ケース。
【請求項４８】
前記マウント部に溝が設けられ、該溝において折り畳み支持部材の軸突起で結合されてなることを特徴とする請求項４７記載の携帯用情報表示装置用折り畳み式ケース。
【請求項４９】
前記折り畳み支持部材が、前記パネルハウジングに一端が結合された二つの回転バーと、該回転バーの他端が固定された回転軸とからなることを特徴とする請求項４７記載の携帯用情報表示装置用折り畳み式ケース。
【請求項５０】
前記回転軸に結合された長溝が前記マウント部の内面に形成されたことを特徴とする請求項４９記載の携帯用情報表示装置用折り畳み式ケース。
【請求項５１】
前記カバー手段が、前記パネルハウジングが誤まって広がることを防止するために前記パネルハウジングの側壁を囲むガイド壁をさらに備えることを特徴とする請求項４７記載の携帯用情報表示装置用折り畳み式ケース。
【請求項５２】
前記スライディング案内手段が、前記マウント部に形成された長溝と、該長溝に結合された折り畳み支持部材の軸突起とからなることを特徴とする請求項４７記載の携帯用情報表示装置用折り畳み式ケース。
【請求項５３】
前記折り畳み支持部材の軸突起とカバー手段のあいだに結合された弾性部材をさらに備えることを特徴とする請求項５２記載の携帯用情報表示装置用折り畳み式ケース。
【請求項５４】
前記マウント部には、長溝の両側に形成された傾斜長溝と、該傾斜長溝に対応して前記パネルハウジングに設けられた突起とがさらに設けられたことを特徴とする請求項５２記載の携帯用情報表示装置用折り畳み式ケース。
【請求項５５】
前記カバー手段がシート状のカバーから形成され、パネルハウジングが折り畳まれたり広げられたりするときにカバー駆動手段により曲げられたりのばされたりし得ることを特徴とする請求項１記載の携帯用情報表示装置用折り畳み式ケース。
【請求項５６】
前記カバー手段が凸凹部を備えていることを特徴とする請求項５５記載の携帯用情報表示装置用折り畳み式ケース。
【請求項５７】
前記パネルハウジングが広げられるとき、カバー手段を受納するシェルター部を備えていることを特徴とする請求項５５記載の携帯用情報表示装置用折り畳み式ケース。
【請求項５８】
前記カバー手段の他端部と前記シェルターの内壁とのあいだに設けられた弾性部材をさらに備えていることを特徴とする請求項５７記載の携帯用情報表示装置用折り畳み式ケース。
【請求項５９】
前記カバー駆動手段が、前記カバー手段の他端部とパネルハウジングの任意の位置に連結された弾性部材を備えていることを特徴とする請求項５５記載の携帯用情報表示装置用折り畳み式ケース。
【請求項６０】
前記カバー駆動手段が、前記パネルハウジングに連結された折り畳み支持部材の第１シリンダーの外周に形成されたギヤー部と、該ギヤー部と噛み合って駆動されるアイドルギヤーおよび駆動ギヤーとからなり、前記カバー手段に、該駆動ギヤーと噛み合う凹凸部が設けられていることを特徴とする請求項５５記載の携帯用情報表示装置用折り畳み式ケース。
【請求項６１】
前記アイドルギヤーおよび駆動ギヤーが両方のパネルハウジングに設けられていることを特徴とする請求項６０記載の携帯用情報表示装置用折り畳み式ケース。
【発明の詳細な説明】
【０００１】
［技術分野］
本発明は複数表示素子を連結して一つの大画面を有するマルチ情報表示装置に関し、とくに広げる場合には隣接された表示素子が互いに正確に一致されてその境界部の非表示領域を最小化し、折り畳む場合には外部に露出される表示素子の側面をカバーして保護できる携帯用情報表示装置用折り畳み式ケースに関する。
【０００２】
［背景技術］
携帯用情報機器の発達により携帯形コンピューターとディジタル無線通信および携帯用周辺装置を利用して場所に関係なくコンピューター業務とネットワーク接続環境の構築ができるようになる。
【０００３】
それにしたがって、携帯用情報機器の活用度は続いて増大されており、とくに携帯電話機、電子本、携帯形コンピューター（ノートブックコンピューター）およびＰＤＡ（Ｐｅｒｓｏｎａｌ　Ｄｉｇｉｔａｌ　Ａｓｓｉｓｔａｎｔｓ：個人用ディジタル補助器）などのような情報機器は移動性を顧慮して装置の軽薄短小化が要求されている。
【０００４】
しかしながら、携帯用情報機器の小型化は携帯、移動および保管の便利性は増大するが、その反面に情報を表示できる画面はそれほど小さくなる短所があるので、これは情報の洪水化時代という現代社会で情報機器としての役割に大きい問題点になる。
【０００５】
したがって、最近には情報機器の小型化を達成して携帯、移動および保管の便利性を図ると同時に狭い空間を最大に活用して多量の情報が表示できるディスプレイ装置の開発が提案されている。
【０００６】
たとえば、複数表示素子を互いに隣接されるように連結して構成したマルチ情報表示装置が知られており、これは複数表示素子が一つの大画面を具現するように連結構成されるので、多量の情報が表示できるようにする。
【０００７】
マルチ情報表示装置に用いられる表示素子としてはＬＣＤ（ｌｉｑｕｉｄ　ｃｒｙｓｔａｌ　ｄｉｓｐｌａｙ）、ＴＦＴ（ｔｈｉｎ　ｆｉｌｍ　ｔｒａｎｓｉｓｔｏｒ）−ＬＣＤ、ＦＥＤ（ｆｉｅｌｄ　ｅｍｉｓｓｉｏｎ　ｄｉｓｐｌａｙ）、ＰＤＰ（ｐｌａｓｍａ　ｄｉｓｐｌａｙ　ｐａｎｅｌ）およびＥＬ（ｅｌｅｃｔｒｏ　ｌｕｍｉｎｅｓｃｅｎｔ）などの平板表示素子を主に用いる。
【０００８】
しかしながら、このようなマルチ情報表示装置は、平板表示素子の接境部が互いに正確に一致されない場合がおり、とくに平板表示素子のあいだの接境部に平板表示素子を囲むハウジング（あるいはケース）が存在してこれが画面の非表示領域を形成するので、ディスプレイ時に画面が分離されて見られ、異質感が著しくて画面の表示品質が低下される問題点がある。
【０００９】
また、平板表示素子が受納された少なくとも二つのケースを折り畳み可能に連結した折り畳み式情報表示装置が提案されている。しかしながら、このような折り畳み式情報表示装置の場合には、画面の非表示領域を減らすために平板表示素子を互いに最大に近接、あるいは接触しなければならない。その結果、ケースを折り畳むとき、平板表示素子の接境部が外部に露出されて構造的に脆弱になり、外部の衝撃により易しく損傷される問題点が発生し得る。
【００１０】
本発明は前述した従来技術の問題点を解決するために、複数表示素子を連結して一つの大画面を有するマルチ情報表示装置を構成することにおいて、とくに広げる場合には隣接された表示素子が互いに正確に一致されてその境界部の非表示領域を最小化して支持することができる携帯用情報表示装置用折り畳み式ケースを提供することをその目的とする。
【００１１】
また、本発明の他の目的は携帯用情報表示装置を折り畳む場合、外側に露出されて構造的に脆弱になる表示素子の接境部をカバーして保護できる携帯用情報表示装置用折り畳み式ケースを提供することである。
【００１２】
［発明の開示］
前記の目的を達成するために本発明の携帯用情報表示装置用折り畳み式ケースは、
少なくとも二つの平板表示素子をおのおの割って受納され、広げた場合、平板表示素子の一側壁が互いに接するように構成されたパネルハウジング；
前記パネルハウジングの折り畳み動作を支持する折り畳み支持部材；および
前記パネルハウジングを折り畳む場合、外部に露出される平板表示素子の隣接する側壁を覆って保護するカバー手段とからなる。
【００１３】
前記パネルハウジングが前記側壁を切断することに設けられた開口を含み、前記開口はパネルハウジングを広げる場合、平板表示素子の隣接する側壁が互いに接するように形成される。また、前記パネルハウジングがパネルハウジングを折り畳む場合、カバー手段が受納される空間をさらに含み、前記空間はパネルハウジングの内部若しくは外部に突出形成される。
【００１４】
前記カバー手段はパネルハウジングの折り畳み部分に設けられる。前記パネルハウジングが広げられる場合、平板表示素子の隣接する側壁が互いに接することを妨害しない位置に開放される。
【００１５】
前記パネルハウジングには、前記パネルハウジングが広げられている、前記カバー手段が受納される空間が設けられ、該空間は前記パネルハウジングの内部または外部に位置づけられる。
【００１６】
前記カバー手段を固定するための固定手段をさらに備え、該固定手段が弾性部材からなってもよい。またカバー手段はその内面に緩衝部材を設けられてもよい。
【００１７】
前記折り畳み支持部材がパネルハウジングの回転中心に設けられるヒンジを含む。前記折り畳み支持部材は、パネルハウジングに一端が結合される二つの回転バーと、その回転バーの他端が固定される回転軸とを含む。
【００１８】
前記カバー手段は、平板表示素子の側面を覆うセンターカバーと、該センターカバーの両側から延長されて曲がり得るサイドカバーとからなり、パネルハウジングが広げられる場合、パネルハウジングに形成されたシェルター部の内側に受納される。
【００１９】
前記センターカバーとサイドカバーとのあいだに可撓性を有する連結部が設けられる。
【００２０】
前記カバー手段は、サイドカバーから突設され、パネルハウジングに結合されるヒンジ軸をさらに備えてもよい。そして、前記カバー手段は、センターカバーの上部および下部に取りつけられたカバーをさらに備えてもよい。
【００２１】
ケースは、パネルハウジングが折り畳まれたり、広げられるとき、カバー手段をシェルター部側に折り畳まれるようにするカバー折り畳み手段をさらに備えてもよい。
【００２２】
前記カバー折り畳み手段は、シェルター部の内壁とサイドカバーのあいだに連結された弾性部材を備えている。前記折り畳み手段は、サイドカバーの外向回転を防止するストッパーを備えている。また、前記カバー折り畳み手段はサイドカバーに形成されたガイド突起と、前記ガイド突起をシェルター部側に内向回転されるように案内するガイド溝とを備えている。
【００２３】
本発明の他の実施例によれば、前記カバー手段は可撓性を有するように構成されてパネルハウジングのシェルター部に受納され、前記シェルター部はパネルハウジングの開口の両側壁に設けられてパネルハウジングを広げる場合、前記カバー手段が外部に露出されないように受納する。
【００２４】
前記カバー手段は、平板表示素子の側壁を覆うセンターカバーと、該センターカバーの両側に連結部を介在して連結されたサイドカバーと、該サイドカバーの一端に形成された係止段とを備えている。
【００２５】
前記サイドカバーは複数の単位カバーから形成され、該複数の単位カバーのあいだに連結部が設けられて、カバー手段が曲がり得る、カバー手段は可撓性を有するシート状のカバーから形成することもできる。
【００２６】
前記カバー手段は、センターカバーの上部および下部に形成されたマウント部と、該マウント部の内面に形成された長溝とをさらに備え、前記折り畳み支持部材には該長溝に結合された軸突起が設けられてもよい。
【００２７】
マウント部を囲むために、パネルハウジングに形成された締め切り部をさらに備えてもよい。
【００２８】
本発明のさらに他の実施例によれば、前記カバー手段は連結部を介在して曲がるように連結された第１および第２の単位カバーを備え、該第１の単位カバーがパネルハウジングに固定され、第２の単位カバーがシェルター部の内部に受納される。
【００２９】
カバー手段は第１の単位カバーに設置されるヒンジ軸を備え、該ヒンジ軸は形成された溝に挿入され、前記パネルハウジングには該ヒンジ軸の離脱を防止するための係止段が設けられる。
【００３０】
その代わりに前記カバー手段の両側端部はパネルハウジングに回転できるように結合することができ、パネルハウジングが折り畳まれたとき、開口を覆う。
【００３１】
前記カバー手段は、可撓性を有するシートから形成され、該シートの一端部は一方のパネルハウジングの内部に固定され、他端部は弾性部材を介在させて他方のパネルハウジングの内部に設けられてもよい。
【００３２】
前記カバー手段はパネルハウジングの内部に取りつけられる。
【００３３】
前記弾性部材が連結されたカバー手段の一端部はシェルター部内に受納される。
【００３４】
本発明のさらに他の実施例によれば、前記カバー手段は、パネルハウジングが折り畳まれる場合には伸び、広げられた場合には縮むように構成される。すなわち、前記カバー手段はベローズ状に形成される。
【００３５】
前記カバー手段は、前記パネルハウジングの側壁の内面に固定された締結部材と、ベローズ部とを備えている。加えて、前期カバー手段は、前記カバー手段の上部および下部を覆うための保護覆いをさらに備えている。カバー手段は布および合成樹脂からなる群から選択された材料から形成される。
【００３６】
保護覆いは折り畳み支持部材に結合された締結部材と、該締結部材に結合されてベローズ部に連結された支柱と、該支柱を覆うための覆いとからなる。
【００３７】
本発明のさらに他の実施例によれば、カバー手段は、互いにスライディング可能に連結された複数の単位カバーから形成される。
【００３８】
前記ケースは、前記パネルハウジングが広げられたとき、前記カバー手段を受納するためのシェルター部をさらに備えてもよい。前記シェルター部は、前記パネルハウジングの側壁に形成される。
【００３９】
前記カバー手段は、スライディング溝を有する第１および第３カバーと、該スライディング溝にスライディング可能に挿入されたスライディング突起を有する第２カバーと、前記第１および第３カバーから延長し、パネルハウジングに回転できるように結合された折曲連結部とからなる。
【００４０】
前記カバー手段は、第２カバーの上部および下部に形成されたマウント部と、該マウント部の内面に形成され折り畳み支持部材の軸突起に結合された長溝をさらに備えてもよい。
【００４１】
また、本発明のさらに他の実施例によれば、ケースは、パネルハウジングが広げられたとき、カバー手段をパネルハウジングの折り畳み部の後に位置されるように案内するスライディング案内手段を備えてもよい。
【００４２】
前記カバー手段は、パネルハウジングの開口および平板表示素子の側壁をカバーするカバー体と、該カバー体の上部および下部に形成されたマウント部とを備えている。また、カバー手段は、パネルハウジングが誤まって広げられることを防止するためにパネルハウジングの側壁を囲むガイド壁をさらに備えてもよい。
【００４３】
前記マウント部には長溝が設けられ、該長溝に前記折り畳み支持部材の軸突起が結合される。スライディング案内手段はマウント部に形成された長溝と、該長溝に結合される折り畳み支持部材に形成された軸突起とからなる。また、スライディング案内手段には、さらにマウント部の長溝の両側に形成された傾斜長溝と、前記傾斜長溝に対応してパネルハウジングに形成された突起が設けられる。
【００４４】
本発明のさらに他の実施例によれば、前記カバー手段は、可撓性を有するシート状のカバーから形成され、パネルハウジングが折り畳まれたり広げられたりするときに、カバー駆動手段によりのばされたり縮んだりする。
【００４５】
前記カバー手段は凸凹部を備えている。
【００４６】
ケースは、パネルハウジングが広げられたとき、カバー手段を受納するシェルター部をさらに備えてもよい。そして、ケースは前記カバー手段の一端部とシェルター部の内壁とのあいだに設けられた弾性部材をさらに備えてもよい。
【００４７】
カバー駆動手段は、前記カバー手段の他端部とパネルハウジングに連結された弾性部材を備えている。
【００４８】
前記カバー駆動手段は、パネルハウジングに連結された折り畳み支持部材の第１シリンダーの外周に形成されたギヤー部と、該ギヤー部と噛み合って駆動されるアイドルギヤーおよび駆動ギヤーとからなり、前記カバー手段には、前記駆動ギヤーと噛み合う凹凸部が設けられている。
【００４９】
添付図面を参照しながら本発明を詳細に説明する。
【００５０】
［図面の簡単な説明］
図１および図２は本発明の実施例１による携帯用情報表示装置用折り畳み式ケースを示す斜視図である。
【００５１】
図３および図４は実施例１の折り畳み動作を図示した断面図である。
【００５２】
図５および図６は実施例１のカバー折り畳み手段を示す断面図および斜視図である。
【００５３】
図７および図８は実施例１のカバー手段の他の実施形態を示す折り畳み状態断面図である。
【００５４】
図９は実施例１のカバー手段の他の実施形態を示す斜視図である。
【００５５】
図１０ないし図１２は本発明の実施例２による携帯用情報表示装置用折り畳み式ケースを示す斜視図および断面図である。
【００５６】
図１３は実施例２のカバー手段の他の実施形態を示す断面図である。
【００５７】
図１４および図１５は本発明の実施例３による携帯用情報表示装置用折り畳み式ケースを示す斜視図である。
【００５８】
図１６および図１７は実施例３のカバー手段の他の実施形態を示す斜視図である。
【００５９】
図１８および図１９は本発明の実施例４による携帯用情報表示装置用折り畳み式ケースを示す斜視図である。
【００６０】
図２０および図２１は実施例４のカバー手段の他の実施形態を示す斜視図である。
【００６１】
図２２ないし図２４は本発明の実施例５による携帯用情報表示装置用折り畳み式ケースを示す斜視図および平面構成図である。
【００６２】
図２５は実施例５のカバー手段の他の実施形態を示す斜視図である。
【００６３】
図２６ないし図２９は本発明の実施例６による携帯用情報表示装置用折り畳み式ケースを図示した斜視図および断面図である。
【００６４】
図３０は実施例６のカバー駆動手段の他の実施形態を示す断面図である。
【００６５】
図３１および図３２は実施例６のカバー駆動手段の他の実施形態を示す断面図である。
【００６６】
［発明を実施するための最良の形態］
以下、本発明の好ましい実施例を添付図面を参照して説明する。
【００６７】
実施例１
図１ないし図４は本発明の実施例１による携帯用情報表示装置用折り畳み式ケースを示している。
【００６８】
本発明による携帯用情報装置用折り畳み式ケースは、外観的に二つの平板表示素子２、４を両側に割れておのおの受納するパネルハウジング６、８と、前記パネルハウジング６、８を同一平面上で折り畳まれるようにしたり、少なくとも１８０°で広がるように結合する折り畳み支持部材１０を含む。
【００６９】
前記平板表示素子２、４としてはＬＣＤ、ＦＥＤ、ＰＤＰおよびＥＬディスプレイ（有機ＥＬ含み）中で一つを選んで用いる。
【００７０】
前記折り畳み支持部材１０はパネルハウジング６、８の接境部にヒンジを設けて構成する。折り畳み支持部材１０は平板表示素子２、４を広げる場合、その接境部が正確に一致されるのために前記パネルハウジング６、８の回転中心に設置されるべきである。
【００７１】
また、本発明では非表示領域を最小化するために平板表示素子２、４の少なくとも一辺が互いに接触されるように構成する。そのためにパネルハウジング６、８の接境部の側壁の一部を切取して開口１２を形成する。
【００７２】
しかし、パネルハウジング６、８を折り畳む場合、平板表示素子２、４の接触された一辺が前記開口１２により外部に露出されるので、本発明では平板表示素子２、４の外部露出を防止して保護するために前記開口１２を覆うカバー手段１４を設けることを特徴とする。
【００７３】
本実施形態のカバー手段１４は、折り畳み状態のパネルハウジング６、８の側壁の開口１２を覆うセンターカバー１４２と、前記センターカバー１４２の両側に延長されて連結部１４４を介在して折り畳みできるように連結され、パネルハウジング６、８に設けられるシェルター部１６を覆ってカバーするサイドカバー１４６とからなる。
【００７４】
前記カバー手段１４はパネルハウジング６、８を広げる場合、カバー手段１４を受納するためにパネルハウジングに形成されたシェルター部１６に受納される。
【００７５】
そして、サイドカバー１４６にはヒンジ軸１４８が設けられている。ヒンジ軸１４８はパネルハウジング６、８のシェルター部１６に形成されたピンホール１８に結合されて前記カバー手段１４がシェルター部１６内で回転できる。
【００７６】
連結部１４４はカバー手段１４を合成樹脂で形成する場合、厚さを薄く形成することにより実現され、フレキシブルに折り畳まれることができる。また、連結部１４４はカバー手段１４を金属若しくはハードな材質で形成する場合、その部分にヒンジ１５０（図５参照）を設けて実現することもできる。これにしたがってカバー手段１４は折り畳みが容易であり、後述するカバー折り畳み手段によりシェルター部１６の内側により容易に受納されることができる。
【００７７】
シェルター部１６は前記カバー手段１４を受納するための空間として、パネルハウジング６、８の開口１２の隣の側壁に設けられ、パネルハウジング６、８を広げる場合、カバー手段１４を外部に露出されないように受納する（図４参照）。
【００７８】
このように構成されたカバー手段１４はパネルハウジング６、８を折り畳む状態で開口１２を覆ってカバーし（図３参照）、広げる状態では前記シェルター部１６の内部に受納される（図４参照）。本発明では、このようなカバー手段１４の動作をより円滑に実現するためにカバー折り畳み手段を提示している。
【００７９】
図５および図６はカバー折り畳み手段の好ましい実施例を示している。
【００８０】
図５でカバー折り畳み手段はシェルター部１６の内壁１６ａとサイドカバー１４６のあいだに弾性部材２０を連結した構成となる。弾性部材２０はパネルハウジング６、８を図４のように広げるとき、カバー手段１４のサイドカバー１４６をシェルター部１６の内壁１６ａ向けに引くことにより、ヒンジ軸１４８を基にしたカバー手段１４の内向回転および受納動作が容易に実現されるようにする。
【００８１】
前記カバー折り畳み手段の内向回転を手伝って外向回転を防止するためにパネルハウジング６、８にはシェルター部１６の開口の一部を覆うストッパ２２をさらに形成することができる。
【００８２】
一方、前記カバー手段１４はパネルハウジング６、８と直接に接触されることを防止するためにその内面の壁に別途の緩衝部材１５２をさらに設けることができる。緩衝部材１５２としては、ラバーとかスポンジおよび樹脂のような弾性体を使用することができる。このとき、緩衝部材１５２はカバー手段１４の内面全体に若しくはセンターカバー１４２の内面のみに付着する。
【００８３】
また、図６のように、カバー折り畳み手段はサイドカバー１４６にガイド突起１５４を形成し、シェルター部１６の上、下部の壁面１６ｂに前記ガイド突起１５４の内向回転を案内するガイド溝２４を形成して構成できる。
【００８４】
ガイド突起１５４とガイド溝２４はストッパ２２と同じ作用をし、パネルハウジング６、８が図４のように広がる場合、サイドカバー１４６の外向回転を遮断して内向回転されるように案内するので、カバー手段１４のシェルター部１６内部への受納および回転作動を容易に実現する。
【００８５】
一方、前記カバー手段１４はセンターカバー１４２が弧状に形成される場合、その上、下部が外部に露出されることを防止するために上、下部の覆い１４２ａをさらに設けることができる。
【００８６】
以上で説明した構成にしたがって、本発明の携帯用情報表示装置用折り畳み式ケースの折り畳み動作を説明するとつぎのとおりである。
【００８７】
本発明による折り畳み式ケースは、図２および図３に示したとおり、平常時にはパネルハウジング６、８およびその内部に受納された平板表示素子２、４が平行に折り畳まれた状態であるので、保管および携帯が便利である。このとき、カバー手段１４はパネルハウジング６、８の開口１２と平板表示素子２、４の側辺を覆って保護する。
【００８８】
また、表示装置を使用するために図１および図４のように広げる場合には、パネルハウジング６、８の広げることと共にカバー手段１４がシェルター部１６の内部に回転受納される。カバー手段１４の受納作動はパネルハウジング６、８を広げることにしたがってサイドカバー１４６がシェルター部１６に内向回転され、その回転動作は前述したカバー折り畳み手段によりもっと容易に実現される。
【００８９】
図７および図８は本発明による携帯用情報表示装置用折り畳み式ケースを構成するカバー手段１４の他の実施形態を示している。
【００９０】
図７でパネルハウジング６、８の開口１２を囲むように設けられるカバー手段１４は、センターカバー１４２′と、前記センターカバー１４２′の両側に曲がるように連結されるサイドカバー１４６′とからなる。
【００９１】
サイドカバー１４６′は多数個の単位カバーを連結部１４４を介在して連結したもので、連結部１４４は厚さを薄くして曲がるようにしたり図示しないヒンジを設けて折り畳み可能に構成できる。
【００９２】
また、サイドカバー１４６′はフレキシブルに曲がるように布とか樹脂のようなシート状のカバーないしはカバー体で構成することができる。
【００９３】
このように設けられたサイドカバー１４６′の両端部はシェルター部１６に避難および受納される。このとき、前記シェルター部１６からの離脱を防止するためにその両端部には係止段１４６′ａを形成し、それに対応して前記シェルター部１６の入口側にはストッパ２２′を形成する。
【００９４】
サイドカバー１４６′の端部とシェルター部１６の内壁１６ａとのあいだには弾性部材２０を連結設置する。弾性部材２０はカバー折り畳み手段の役割をすることで、パネルハウジング６、８が折り畳まれる場合に（図７参照）サイドカバー１４６′を引いてセンターカバー１４２′がパネルハウジング６、８の側壁に密着されるようにし、パネルハウジング６、８を広げる場合（図８参照）にはサイドカバー１４６′を垂直方向に引いてシェルター部１６内部に受納されるようにする。
【００９５】
したがって、前記カバー手段１４はパネルハウジング６、８が折り畳まれる場合には開口１２を覆って保護し、パネルハウジング６、８を広げる場合にはシェルター部１６の内側に完全に受納される。
【００９６】
一方、本実施形態ではカバー手段１４が一側に傾かないように支持するために図９に示したとおり、センターカバー１４２′の上、下部にマウント部１５６を設置して大略‘⊂’字状に形成することができる。前記マウント部１５６の内面には長溝１５６ａを形成し、折り畳み支持部材１０には前記長溝１５６ａが結合支持される軸突起１０ａを形成している。
【００９７】
これにしたがって前記センターカバー１４２′は軸突起１０ａと長溝１５６ａの相互結合により左右側に傾かなくて中心に位置される。また、前記センターカバー１４２′は長溝１５６ａによりスライディングできる。そのスライディング作動は図７のようにパネルハウジング６、８を折り畳む場合、センターカバー１４２′がパネルハウジング６、８の側壁、すなわち、図面の左側に容易に滑るようにし、図８のようにその反対の場合には、図面の右側に滑るようにしてカバー手段１４の受納およびその反対動作が円滑にされるようにする。
【００９８】
また、本実施形態では前記センターカバー１４２′のマウント部１５６が外側に突出されることを防止するため、パネルハウジング６、８をより大きく形成して前記マウント部１５６を囲む締め切り部２６を形成できる。
【００９９】
実施例２
図１０ないし図１２は本発明の実施例２による携帯用情報表示装置用折り畳み式ケースを示している。
【０１００】
図示したように携帯用情報表示装置用折り畳み式ケースは、基本的に平板表示素子２、４をおのおの受納するパネルハウジング６、８と折り畳み支持部材１０′およびカバー手段１４を含むことは実施例１と同じである。
【０１０１】
ここで、折り畳み支持部材１０′は実施例１とその構造が多少の差があるが、パネルハウジング６、８の回転中心に設けられるヒンジである。
【０１０２】
本実施例でカバー手段１４は、多数個の単位カバー１５８を多段連結して構成し、その連結部１４４は単位カバー１５８を合成樹脂で形成する場合、厚さを薄く成形することによりフレキシブルに曲がるように形成する。また、多数個の中で最外郭の単位カバー１５８にはヒンジ軸１４８を設ける。
【０１０３】
カバー手段１４を固定設置するために一側のパネルハウジング６には前記ヒンジ軸１４８が結合される固定手段を設置する。固定手段は単位カバー１５８とヒンジ軸１４８が挿入されるようにパネルハウジング６に形成された溝２８と、前記ヒンジ軸１４８の脱着および離脱を防止するために設置される係止段２８ａを含む。
【０１０４】
固定手段により一側のパネルハウジング６に固定されたカバー手段１４の他の端部は固定されない状態の自由端となり、その自由端はシェルター部１６′に受納される。
【０１０５】
このような構成によって、前記カバー手段１４は図１１のようにパネルハウジング６、８が折り畳まれる場合、開口１２および平板表示素子２、４の一側辺を覆って保護し、図１２のようにパネルハウジング６、８を広げる場合にはヒンジ軸１４８が固定されてその反対側の自由端がシェルター部１６′に押し寄せるので、外部に露出されなくて完全に受納される。
【０１０６】
図１３はカバー手段１４の両側端部をすべて固定した構造を示している。
【０１０７】
カバー手段１４は、両側の最外郭の単位カバー１５８におのおのヒンジ軸１４８を備えており、そのヒンジ軸１４８は固定手段により結合支持されている。ここで、固定手段はパネルハウジング６、８に設置されて前記ヒンジ軸１４８が回転可能に結合されるヒンジ掛け２８ｂとなる。
【０１０８】
このような構成によって、カバー手段１４はパネルハウジング６、８が折り畳まれる場合（図面で実線に表示）開口１２および平板表示素子２、４の一側辺を覆って保護し、パネルハウジング６、８を広げる場合（図面で仮想線に表示）には外部に突出される。一方、前記カバー手段１４は単位カバー１５８をヒンジにより連結して連結部１４４を構成することができる。
【０１０９】
実施例３
図１４および図１５は本発明の実施例３による携帯用情報表示装置用折り畳み式ケースを示している。
【０１１０】
図１４で携帯用情報表示装置用折り畳み式ケースは平板表示素子をおのおの受納するパネルハウジング６、８と折り畳み支持部材１０およびカバー手段１４とからなることは実施例１と同じである。
【０１１１】
ここで、本実施例のカバー手段１４は、パネルハウジング６、８の側壁の開口１２を覆ってカバーするために、前記パネルハウジング６、８を折り畳む場合（閉じる場合）には伸び、広がる場合（開く場合）には縮むように形成される。
【０１１２】
このように前記カバー手段はベローズ状に形成されて伸縮自在に構成することである。より具体的には、カバー手段１４はパネルハウジング６、８の側壁の内部面に固定される締結手段を有する締結部１６０と、ベローズ状に伸縮自在なベローズ部１６２とからなる。
【０１１３】
締結部１６０は締結手段、すなわち穴１６０ａとその穴に締結されるスクリュ（図示省略）を備えてパネルハウジング６、８の側面の内部面に固定される。本実施例では締結手段としてスクリューを提示しているが、これに限定されるものではなく、たとえば接着などの一般的に用いられる締結手段をそのまま使用できる。
【０１１４】
ベローズ部１６２は布、織物、プラスチックまたは合成樹脂などの材料を用いてベローズ状に伸縮自在に構成する。このとき、締結部１６０はベローズ部と同一な材質で一体に形成したり、または金属などで別途に形成できる。
【０１１５】
したがって、前記カバー手段１４は図１４に示したとおり、パネルハウジング６、８を広げる場合に縮んで目の詰むように折り畳まれて開口１２を覆って保護し、図１５のようにパネルハウジング６、８を折って閉じる場合には開口１２を覆った状態そのままにベローズ部１６２が伸びるようになる。
【０１１６】
一方、図１６および図１７はカバー手段１４の他の実施形態を示している。
【０１１７】
カバー手段１４は締結部１６０とベローズ部１６２および前記ベローズ部１６２の上、下側をカバーして折り畳み支持部材１０に連結される上、下部の保護覆い１６４とからなる。
【０１１８】
上、下部の保護覆い１６４はパネルハウジング６、８を折り畳む場合、ベローズ部１６２の上、下側が開放されることを未然に防止し、またベローズ部１６２の伸縮作動をより円滑に達成するためのことで、パネルハウジング６、８の回転中心に設けられた折り畳み支持部材１０に結合される締結部材１６４ａと、前記締結部材１６４ａが填められてベローズ部１６２に連結される支柱１６４ｂ、そして前記支柱１６４ｂに覆われる覆い１６４ｃとからなる。覆い１６４ｃはベローズ部１６２と同一の材質で形成することがよい。
【０１１９】
実施例４
図１８および図１９は本発明の実施例４による携帯用情報表示装置用折り畳み式ケースを示している。
【０１２０】
携帯用情報表示装置用折り畳み式ケースは、平板表示素子２、４をおのおの受納するパネルハウジング６、８と折り畳み支持部材１０およびカバー手段１４を含む。
【０１２１】
ここで、本実施例のパネルハウジング６、８の側壁の開口１２を覆ってカバーするカバー手段１４は、パネルハウジングが折り畳まれる場合には露出された開口を覆い、広がる場合には受納される、スライディング移動して二段以上に折り畳み可能に形成した保護部材となる。また、多数個の単位カバーをスライディング可能に連結して三段でも折り畳みされるように構成することができる。
【０１２２】
より具体的に、前記カバー手段１４は互いにスライディング可能に結合される第１、第２および第３カバー１６６、１６８、１７０とからなる。スライディング結合のために、第１および第３カバー１６６、１７０にはスライディング溝１６６ａ、１７０ａを形成し、前記スライディング溝１６６ａ、１７０ａに結合されるスライディング突起１６８ａを中央の第２カバー１６８に設ける。
【０１２３】
スライディング突起１６８ａは第１カバー１６６および第３カバー１７０が互いに三段に折り畳みされるように左、右側の突起を内側面および外側面に互いに反対方向におのおの設ける。
【０１２４】
前記カバー手段１４は締結手段を介在してパネルハウジング６、８の側壁の外部面に固定設置される。本実施例で締結手段は第１カバー１６６および第３カバー１７０の外側に延長された折曲連結部１６６ｂ、１７０ｂを提示する。折曲連結部１６６ｂ、１７０ｂはパネルハウジング６、８の側壁の外部面にヒンジ結合により固定されて回転可能に設けられる。
【０１２５】
一方、カバー手段１４を避難および受納するための空間として、一側のパネルハウジング８にシェルター部１６”を形成する。シェルター部１６”はパネルハウジング８の表面で別途のパネル１６”ａを付着することにより形成され、仮想線（図１８参照）に図示したようにパネルハウジング６、８の両側に全部形成することもできる。
【０１２６】
このような構成によって前記カバー手段１４は、パネルハウジング６、８を折り畳む場合、図１８のように広がって開口１２および平板表示素子２、４の一側辺を覆って保護し、パネルハウジング６、８を広げる場合にはシェルター部１６”の内側に完全に避難および受納される。
【０１２７】
図２０および図２１はカバー手段１４の他の実施形態を示している。
【０１２８】
本実施形態でカバー手段１４は、互いにスライディング可能に結合される第１、第２および第３カバー１６６′、１６８′、１７０′とからなり、第１および第３カバー１６６′、１７０′のスライディング溝１６６′ａ、１７０′ａに結合される第２カバー１６８′のスライディング突起１６８′ａをすべて内側面に設けてパネルハウジング６、８を広げる場合、第１および第３カバー１６６′、１７０′が中央の第２カバー１６８′の内側に入るようにする。
【０１２９】
また、本実施形態でカバー手段１４は折り畳み動作時、一側への傾きを防止するため、第２カバー１６８′の上、下部にマウント部１６８′ｂを大略‘⊂’字状に形成し、前記マウント部１６８′ｂの内面に長溝１６８′ｃを形成する。折り畳み支持部材１０には、前記長溝１６８′ｃが結合支持される軸突起１０ａを形成している。
【０１３０】
これにしたがって前記第２カバー１６８′は軸突起１０ａと長溝１６８′ｃの相互結合により左右側に傾かなくて中心に位置される。また、前記第２カバー１６８′は長溝１６８′ｃによりスライディングできる。そのスライディング作動はパネルハウジング６、８を折り畳む場合、第２カバー１６８′がパネルハウジング６、８の側壁に容易に滑るようにし、その反対の場合には、パネルハウジング６、８から遠くなる向けに滑るようにする。
【０１３１】
一方、本実施例ではカバー手段１４の単位カバーを三つで形成しているが、これに限定されなく単位カバーをフレキシブルに構成する場合、二つでも形成できる。
【０１３２】
実施例５
図２２ないし図２４は本発明の実施例５による携帯用情報表示装置用折り畳み式ケースを示している。
【０１３３】
本実施例で携帯用情報表示装置用折り畳み式ケースは、平板表示素子２、４をおのおの受納するパネルハウジング６、８と折り畳み支持部材１０およびカバー手段１４とからなることは実施例１と同じである。
【０１３４】
ここで、カバー手段１４は、パネルハウジングを広げるとき、その広げ作動が円滑になるようにするために大略‘⊂’字状に一体化された構造を示す。また、前記カバー手段１４はパネルハウジングの境界部の後ろに位置される。
【０１３５】
より具体的には、前記カバー手段１４はカバー体１７２の上、下部にマウント部１７４を一体に形成して‘⊂’字状に形成し、前記マウント部１７４の内面に長溝１７４ａを形成する。そして、折り畳み支持部材１０には前記長溝１７４ａが結合支持されるようにするために軸突起１０ａを形成する。
【０１３６】
前記長溝１７４ａはスライディング案内手段としての役割をすることであり、この長溝１７４ａによりカバー手段１４はパネルハウジング６、８を広げるとき、後側（図２４の上側）に押され、その反対にパネルハウジング６、８を折り畳むとき、前側（図２３の下側）に移動される。
【０１３７】
また前記カバー手段１４のスライディング作動が左右に傾かなくてより円滑に正確になるために、前記長溝１７４ａの両側にガイド用傾斜長溝１７４ｂを形成し、前記傾斜長溝１７４ｂに対応する突起１０ｂをパネルハウジング６、８におのおの設置する。傾斜長溝１７４ｂと突起１０ｂは正確なスライディング作動を図ると共にカバー手段１４の両側辺がパネルハウジング６、８に密着されるように作用する。
【０１３８】
一方、傾斜長溝１７４ｂはカバー手段１４のスライディング作動をより円滑にし、カバー手段１４とパネルハウジング６、８の密着性を向上させるために弧状のラウンドで形成できる。（図示省略）
このような構成によって、前記カバー手段１４はパネルハウジング６、８を折り畳む場合、図２２および図２３のように開口１２および平板表示素子２、４の一側辺を覆って保護する。このとき、パネルハウジング６、８に設けられた突起１０ｂが傾斜長溝１７４ｂの前側（図２３の下側）の終端に掛かって密着され、軸突起１０ａが長溝１７４ａの後側の終端に掛かって密着される作用によりパネルハウジング６、８の一側壁面に密着される。
【０１３９】
また、表示装置の使用のために図２４のようにパネルハウジング６、８を広げる場合、両側の突起１０ｂが傾斜長溝１７４ｂの後側（図面の上側）に移動されて前記カバー手段１４はその終端に密着され、軸突起１０ａが長溝１７４ａの前側に移動されてその終端に密着される作動により、パネルハウジング６、８の後側の壁面に密着される。しかし、実にカバー手段１４は位置変化がなくて、ただ軸突起１０ａと突起１０ｂが長溝１７４ａと傾斜長溝１７４ｂにしたがってスライディング移動されるものである。
【０１４０】
図２５はカバー手段１４の他の実施形態を示している。
【０１４１】
カバー手段１４はパネルハウジング６、８を折り畳む状態で、誤まって広がることを防止するために折り畳まれる状態のパネルハウジング６、８の側壁を囲むガード壁１７６を形成している。
【０１４２】
本実施形態で折り畳み支持部材１０はパネルハウジング６、８に一端が結合される二つの回転バー１０ｃを設け、前記回転バー１０ｃの他端を同時に回転軸１０ｄで結合設置して構成している。前記回転軸１０ｄはパネルハウジング６、８の回転中心に位置する。
【０１４３】
一方、本実施形態でパネルハウジング６、８を広げるためにはカバー手段１４を後側に少し引くことがよい。そのために前記カバー手段１４の長溝１７４ａの内側に第２突起１７４ｃを形成し、その第２突起１７４ｃとパネルハウジング６、８の回転軸１０ｄのあいだに弾性部材３０を設ける。弾性部材３０は本発明のケースの開閉時、カバー手段１４をパネルハウジング６、８に密着および接触させて開口１２および平板表示素子２、４の露出を完全に防止する。
【０１４４】
実施例６
図２６ないし図２９は本発明の実施例６による携帯用情報表示装置用折り畳み式ケースを示している。
【０１４５】
本実施例の携帯用情報表示装置用折り畳み式ケースは、平板表示素子２、４をおのおの受納するパネルハウジング６、８と折り畳み支持部材１０およびカバー手段１４を含む。
【０１４６】
本実施例でも、パネルハウジング６、８を広げる状態で平板表示素子２、４の一辺が互いに接触されるように支持し、パネルハウジング６、８を折り畳む状態では平板表示素子の露出された側面を覆うカバー手段１４があり、前記パネルハウジング６、８の折り畳み動作に連動して前記カバー手段１４を開閉するカバー駆動手段が構成される。ここで、前記カバー手段は前記パネルハウジング６、８を広げるとき、平板表示素子の一辺の密着を防害しないように開放される構成になる。
【０１４７】
前記カバー駆動手段としては弾性部材を採用できるが、ギヤーなどのような手段も提供される。まず、カバー手段１４はパネルハウジング６、８の側壁の開口１２および平板表示素子２、４の一側弁を覆ってカバーするためにフレキシブルに曲がることができるシート状カバー体を提示している。
【０１４８】
カバー手段１４は少なくとも内面に凸部１７８ｂと凹部１７８ａを備えており、その開閉のためのカバー駆動手段を備える。前記カバー手段１４は凸部１７８ｂで直四角形のパネルを形成し、凹部１７８ａでフレキシブルなコネクターを連結構成することができる。また、カバー手段１４はベローズ形態の凸凹部を有するように形成することもできる。
【０１４９】
パネルハウジング６、８の折り畳み動作に連動して前記カバー手段１４を開閉するカバー駆動手段としては、一側のパネルハウジング６に連結された折り畳み支持部材１０の第１シリンダー１０ｅの外周にギヤー部３２ａを形成し、前記ギヤー部３２ａに噛み合って駆動されるアイドルギヤー３２ｂと駆動ギヤー３２ｃをパネルハウジング８の内部に設け、前記駆動ギヤー３２ｃをカバー手段１４の凹部１７８ａおよび凸部１７８ｂに噛み合うように構成する。
【０１５０】
このような構成によって、パネルハウジング６および折り畳み支持部材１０の回転運動はカバー手段１４を直線移動させる。一方、図面符号１０ｆは折り畳み支持部材１０の第２シリンダーである。
【０１５１】
本実施例でカバー手段１４は広がる状態（図２６および図２７参照）のパネルハウジング６、８を折り畳む場合、折り畳み支持部材１０の第１シリンダー１０ｅが図面の矢印方向（反時計方向）に回転し、ギヤー部３２ａに連動するアイドルギヤー３２ｂおよび駆動ギヤー３２ｃが回転することにより、前記駆動ギヤー３２ｃに噛み合うカバー手段１４を図２７の右側方向に広がるようにする。
【０１５２】
図２８および図２９に示したように、パネルハウジング６、８が完全に折り畳まれるとカバー手段１４は開口１２および平板表示素子２、４の一側辺（図２９の右側）を覆って保護する。一方、パネルハウジング６、８を広げる場合、カバー手段１４の作動は前述したことと反対に作用する。
【０１５３】
一方、前記のようなカバー手段１４の折り畳み作動をために、カバー手段１４の一側端部は一側のパネルハウジング６に固定付着されており、カバー手段１４の他側端部は自由端の形態となる。また、他側のパネルハウジング８には前記カバー手段１４の自由端が受納され、その移動をガイドするためのシェルター部１６′が備えている。
【０１５４】
図３０はカバー駆動手段の他の実施形態を示している。
【０１５５】
ここで、カバー駆動手段は一側のパネルハウジング６に連結された折り畳み支持部材１０の第１シリンダー１０ｅの外周にギヤー部３２ａを形成し、前記ギヤー部３２ａに噛み合って回転される二つのアイドルギヤー３２ｂと駆動ギヤー３２ｃを設けて両側でカバー手段１４を駆動および移動させる。このとき、シェルター部１６′はパネルハウジング６、８の両側に全部形成することがよい。また、外側に突出されるように形成できる。
【０１５６】
図３１および図３２はカバー駆動手段の他の実施形態を示している。
【０１５７】
カバー駆動手段は前述した実施形態と違い、ギヤーを採用しなくて弾性部材３４のみを使用して構造を単純化している。
【０１５８】
より具体的に、カバー駆動手段は一側のパネルハウジング６にカバー手段１４の一側端部を固定し、カバー手段１４の他側端部とパネルハウジング８のあいだの位置に弾性部材３４を連結して構成できる。このとき、カバー手段１４はフレキシブルな材質となる扁平なシート状のカバー体を使用できるし、接着剤を用いて固定付着できる。弾性部材３４はシェルター部１６′を形成する場合、その内壁とカバー手段１４のあいだに連結される。
【０１５９】
このような構成によって、本実施例のカバー手段１４はパネルハウジング６、８を広げる場合、図３１のように弾性部材３４によりシェルター部１６′の内部に引かれ、パネルハウジング６、８を折り畳む場合、図３２のように弾性部材３４の弾性力を勝って広がって開口１２および平板表示素子２、４の一側辺を覆ってを保護する。
【０１６０】
［産業上の利用可能性］
以上のように、本発明の携帯用情報表示装置用折り畳み式ケースは複数表示素子を連結して一つの大画面を有するマルチ情報表示装置を具現することができる。
【０１６１】
とくに、本発明によると、携帯用情報表示装置を広げる場合、隣接された表示素子が互いに正確に一致され、その接境部の非表示領域を最小化して支持するので、表示素子の画面品質を向上させることができる。
【０１６２】
また、本発明の携帯用情報表示装置を折り畳む場合には、外側に露出されて構造的に脆弱になる表示素子の接境部をカバーして外部衝撃とか破損から製品を安全に保護できる。
【図面の簡単な説明】
【図１】本発明の実施例１による携帯用情報表示装置用折り畳み式ケースを示す斜視図である。
【図２】本発明の実施例１による携帯用情報表示装置用折り畳み式ケースを示す斜視図である。
【図３】実施例１の折り畳み動作を図示した断面図である。
【図４】実施例１の折り畳み動作を図示した断面図である。
【図５】実施例１のカバー折り畳み手段を示す断面図および斜視図である。
【図６】実施例１のカバー折り畳み手段を示す断面図および斜視図である。
【図７】実施例１のカバー手段の他の実施形態を示す折り畳み状態断面図である。
【図８】実施例１のカバー手段の他の実施形態を示す折り畳み状態断面図である。
【図９】実施例１のカバー手段の他の実施形態を示す斜視図である。
【図１０】本発明の実施例２による携帯用情報表示装置用折り畳み式ケースを示す斜視図である。
【図１１】本発明の実施例２による携帯用情報表示装置用折り畳み式ケースを示す断面図である。
【図１２】本発明の実施例２による携帯用情報表示装置用折り畳み式ケースを示す断面図である。
【図１３】実施例２のカバー手段の他の実施形態を示す断面図である。
【図１４】本発明の実施例３による携帯用情報表示装置用折り畳み式ケースを示す斜視図である。
【図１５】本発明の実施例３による携帯用情報表示装置用折り畳み式ケースを示す斜視図である。
【図１６】実施例３のカバー手段の他の実施形態を示す斜視図である。
【図１７】実施例３のカバー手段の他の実施形態を示す斜視図である。
【図１８】本発明の実施例４による携帯用情報表示装置用折り畳み式ケースを示す斜視図である。
【図１９】本発明の実施例４による携帯用情報表示装置用折り畳み式ケースを示す斜視図である。
【図２０】実施例４のカバー手段の他の実施形態を示す斜視図である。
【図２１】実施例４のカバー手段の他の実施形態を示す斜視図である。
【図２２】本発明の実施例５による携帯用情報表示装置用折り畳み式ケースを示す斜視図である。
【図２３】本発明の実施例５による携帯用情報表示装置用折り畳み式ケースを示す平面構成図である。
【図２４】本発明の実施例５による携帯用情報表示装置用折り畳み式ケースを示す平面構成図である。
【図２５】実施例５のカバー手段の他の実施形態を示す斜視図である。
【図２６】本発明の実施例６による携帯用情報表示装置用折り畳み式ケースを示す斜視図である。
【図２７】本発明の実施例６による携帯用情報表示装置用折り畳み式ケースを示す断面図である。
【図２８】本発明の実施例６による携帯用情報表示装置用折り畳み式ケースを示す斜視図である。
【図２９】本発明の実施例６による携帯用情報表示装置用折り畳み式ケースを示す断面図である。
【図３０】実施例６のカバー駆動手段の他の実施形態を示す断面図である。
【図３１】実施例６のカバー駆動手段の他の実施形態を示す断面図である。
【図３２】実施例６のカバー駆動手段の他の実施形態を示す断面図である。
【国際公開パンフレット】
2004507779.tif 000003
2004507779.tif 000004
2004507779.tif 000005
2004507779.tif 000006
2004507779.tif 000007
2004507779.tif 000008
2004507779.tif 000009
2004507779.tif 000010
2004507779.tif 000011
2004507779.tif 000012
2004507779.tif 000013
2004507779.tif 000014
2004507779.tif 000015
2004507779.tif 000016
2004507779.tif 000017
2004507779.tif 000018
2004507779.tif 000019
2004507779.tif 000020
2004507779.tif 000021
2004507779.tif 000022
2004507779.tif 000023
2004507779.tif 000024
2004507779.tif 000025
2004507779.tif 000026
2004507779.tif 000027
2004507779.tif 000028
2004507779.tif 000029
2004507779.tif 000030
2004507779.tif 000031
2004507779.tif 000032
2004507779.tif 000033
2004507779.tif 000034
2004507779.tif 000035
2004507779.tif 000036
2004507779.tif 000037
2004507779.tif 000038
2004507779.tif 000039
2004507779.tif 000040
2004507779.tif 000041
2004507779.tif 000042
2004507779.tif 000043
2004507779.tif 000044
2004507779.tif 000045
2004507779.tif 000046
2004507779.tif 000047
2004507779.tif 000048
2004507779.tif 000049
2004507779.tif 000050
2004507779.tif 000051
2004507779.tif 000052
2004507779.tif 000053
2004507779.tif 000054
2004507779.tif 000055
2004507779.tif 000056
2004507779.tif 000057
2004507779.tif 000058
2004507779.tif 000059
2004507779.tif 000060
2004507779.tif 000061
2004507779.tif 000062
2004507779.tif 000063
2004507779.tif 000064
2004507779.tif 000065
2004507779.tif 000066
2004507779.tif 000067
2004507779.tif 000068
【国際調査報告】
2004507779.tif 000069
2004507779.tif 000070